(57)【要約】【課題】  パチンコ遊技機では、ガラス枠の開閉等に係わる不正行為が行われていた。【解決手段】  従来のガラス枠を、ガラス板３３を保持するガラス枠ユニット３０と、その前でパチンコ遊技機１を装飾する装飾部材２２を備えた装飾枠２０との２つに分けた構成とする。ガラス枠ユニット３０を遊技盤３が取り付けられる前面枠１０の上端部に軸着して開閉可能とする。装飾枠２０をガラス枠ユニット３０の前側で前面枠１０の左側部に軸着して開閉可能とする。これにより、ガラス枠ユニット３０を開放するには、その前の装飾枠２０を大きく開放する必要があり、合鍵等により不正に開放する際に極めて目立つ状態となり不正を防止できる。また、手前の装飾部材２２を引張っても、ガラス枠ユニット３０は動かないので、従来のように、ガラス枠を手前に引張ってガラス板と役物との間に遊技球を挟み込んで、役物を開状態とする不正ができない。【選択図】図２
2005185743.tif 000002
【特許請求の範囲】
【請求項１】
遊技盤を収納する前面枠の前面側に、片開き形式で開放可能な開閉枠を設けるようにした遊技機において、
前記開閉枠は、
前記遊技盤に形成される遊技領域の前面側を塞ぐとともに該遊技領域を透視可能な透明部材を収納する第１の開閉枠と、
前記第１の開閉枠の前面側に覆設され、当該遊技機の前面側を装飾する装飾部材を配設した第２の開閉枠と、
から構成され、
前記第１の開閉枠と第２の開閉枠を別個に前記前面枠に対して軸支するとともに、各々の回動開放方向を異なるように設定したことを特徴とする遊技機。
【請求項２】
前記第２の開閉枠を前記前面枠の左右方向一側部に軸着する一方、前記第１の開閉枠を該前面枠の上側部に軸着するようにしたことを特徴とする請求項１に記載の遊技機。
【請求項３】
前記第２の開閉枠の裏面に、開放状態の前記第１の開閉枠を所定の回動角度に保持する保持部材を備え、
前記保持部材は、前記第２の開閉枠の裏面方向に突出することで、前記開放状態の第１の開閉枠を載置可能に構成したことを特徴とする請求項２に記載の遊技機。
【請求項４】
前記第１の開閉枠の周縁部に、閉鎖時において当該開閉枠とその周囲の部材との間に間隙部を形成可能な切り欠き部を形成したことを特徴とする請求項２または３に記載の遊技機。
【請求項５】
前記第１の開閉枠における開放端寄りの所定部位に係止して該第１の開閉枠を閉鎖状態に固定する固定装置を備え、
前記固定装置は、前記第２の開閉枠を所定角度開放しないと係止が解除されないように構成したことを特徴とする請求項１〜４の何れか１項に記載の遊技機。
【請求項６】
前記固定装置は、
非係止状態から左右方向に移動して前記第１の開閉枠の前面側に突出した係止状態に変換可能な係止部材と、
前記係止部材に連結され、前記第２の開閉枠が閉鎖状態の場合に、前記係止部材の非係止状態への変換を規制する連結部材と、
を設けたことを特徴とする請求項５に記載の遊技機。
【請求項７】
前記第１の開閉枠は、複数の透明部材と、該複数の透明部材を保持する保持枠とから構成され、
前記第２の開閉枠は、前記透明部材の所要範囲を前面側に臨ませる開口窓部を形成し、
前記保持枠は、前端部の内周を内側に延出させて前記透明部材との間に間隙を形成する延出壁を有することを特徴とする請求項１〜６の何れか１項に記載の遊技機。
【発明の詳細な説明】
【技術分野】
【０００１】
本発明は、遊技盤を収納する前面枠の前面側に、片開き形式で開放可能な開閉枠を設けるようにした遊技機に関する。
【背景技術】
【０００２】
従来より、パチンコ遊技機等の遊技機においては、遊技領域が形成された遊技盤を収納可能な前面枠が設けられ、該前面枠の前面にはガラス等の透明部材を収納可能なガラス枠（開閉枠）が片開き形式で開閉可能に設けられている。
ガラス枠は、前面枠の一側部に軸着されて左右方向に回動開放可能に構成されるとともに、開放端側には施錠装置が設けられていて、キー操作を行わない限り開放できないようになっている。
【０００３】
従来の遊技機においては、上記のように構成されていることから、ガラス枠を不正に開放することを防止する一方で、例えば、遊技領域に遊技球が留まってしまう等の不具合が生じた際には、係員がキー操作を行うことで、ガラス枠を開放して遊技領域に関する不具合の解消作業が可能となっている。
また、遊技機への不正行為として、前面枠とガラス枠との間にピアノ線やセル板等の不正部材を挿入することで、遊技領域の役物等を誤作動させてしまう等も知られている。このような不正行為を防止するために、前面枠の周囲にガラス枠を閉鎖した時その外縁部が嵌入する凹部を形成することで、不正部材の挿入を防止するようにした遊技機も考えられている。（例えば、特許文献１参照。）。
【特許文献１】特開２０００−２１０４５０号公報（第５頁、図７）
【発明の開示】
【発明が解決しようとする課題】
【０００４】
しかしながら、前面枠とガラス枠とを嵌入構造としても、ガラス枠を合い鍵等を使用して不正に開放する行為に対しては、何ら効果を発揮しない。
また、従来の遊技機においては、閉鎖状態のガラス枠を強引に手前に引っ張った場合に、それに収納されているガラスも同様に手前側にずれることから、遊技領域に配設されている役物の前方端部とガラス裏面との間に隙間が形成され、その隙間に遊技球が挟まることがある。上記の役物が例えば、所謂チューリップ等の可動部材を有する可動式のものである場合には、可動部材が開放中にガラス裏面との間に隙間を形成して遊技球を挟み込まれてしまうと、可動部材の閉鎖状態への変換動作が挟み込まれた遊技球により規制されて開放状態が保持されてしまう。このような事象を狙った不正行為も問題とされている。このような問題は、前面枠とガラス枠とを嵌入構造としても、ガラス枠の嵌入部が撓む可能性がある構成となっているとともに、ガラス枠を外部から引っ張れる構成となっている場合に、確実に防止することは困難である。
【０００５】
本発明の課題は、ガラス枠の不正な開放、ガラス枠を前面枠から引張るような操作、前面枠とガラス枠との間への不正部材の挿入等、ガラス枠に関する各種不正行為を防止可能な遊技機を提供することである。
【課題を解決するための手段】
【０００６】
上記課題を解決するため請求項１に記載の発明は、遊技盤を収納する前面枠の前面側に、片開き形式で開放可能な開閉枠を設けるようにした遊技機において、
前記開閉枠は、
前記遊技盤に形成される遊技領域の前面側を塞ぐとともに該遊技領域を透視可能な透明部材を収納する第１の開閉枠と、
前記第１の開閉枠の前面側に覆設され、当該遊技機の前面側を装飾する装飾部材を配設した第２の開閉枠と、
から構成され、
前記第１の開閉枠と第２の開閉枠を別個に前記前面枠に対して軸支するとともに、各々の回動開放方向を異なるように設定したことを特徴としている。
【０００７】
ここで、「遊技機」とは、例えば、各種パチンコ遊技機、アレンジボール遊技機、雀球遊技機等の弾球遊技機であり、遊技盤を収納する前面枠の前面側に、開放可能な開閉枠を設けるようにしたものである。
また、透明部材は、例えば、ガラス板や透明な合成樹脂板である。
【０００８】
請求項１に記載の発明によれば、遊技機前面の開閉枠を二重構造にしたので、例えば、合い鍵等により開閉枠を不正に開放する等の不正行為に対して有効となる。特に、前記第１の開閉枠と第２の開閉枠を別個に前記前面枠に対して軸支するとともに、各々の回動開放方向を異なるように設定したことにより、遊技領域に対して不正行為を行うためには、第２の開閉枠をある程度大きく開放した後、第１の開閉枠を開放する必要があるので、非常に不正行為が目立つこととなり、このような不正行為を未然に防止できる。
さらに、第１と第２の開閉枠は独立した開閉機構を有していることから、第２の開閉枠を手前側に引っ張っても第１の開閉枠はずれることはないので、透明部材と役物との間に遊技球を挟み込む不正行為を防止できる。すなわち、外側の第２の開閉枠を引張っても、内側の第１の開閉枠は動かず、第１の開閉枠に配置された透明部材と遊技盤に形成された役物との間に遊技球が挟まるような隙間ができることがない。
【０００９】
請求項２に記載の発明は、請求項１に記載の遊技機において、
前記第２の開閉枠を前記前面枠の左右方向一側部に軸着する一方、前記第１の開閉枠を該前面枠の上側部に軸着するようにしたことを特徴としている。
【００１０】
請求項２に記載の発明によれば、外側の第２の開閉枠を前記前面枠の左右方向一側部に軸着する一方、内側の第１の開閉枠を該前面枠の上側部に軸着するようにしたので、左右何れかに回転移動することで開くとともに外側となる第２の開閉枠を大きく開かないと、上に向かって回転移動すことで開くとともに内側となる第１の開閉枠の開放操作を行うことが困難であり、請求項１に記載の発明と同様の効果を奏することができる。
【００１１】
さらに、二重に開閉枠を備えても、その開閉作業を迅速に行うことができる。例えば、外側の開閉枠が上に向かって回動移動することで開き、内側の開閉枠が左右方向の何れかに向かって回転移動することで開く構成となっていると、外側の開閉枠が閉じないように押えた状態で、内側の開閉枠を左右方向に回転移動する必要があるが、外側の開閉枠が左右方向に回転移動することで開く構成となっていると、一度開けた外側の開閉枠は外力が作用しない限り開いたままとなるので押えている必要はなく、容易に内側の開閉枠を開くことができる。
また、開閉枠を９０度程度回転させて開放することを想定した場合に、左右方向に回転して開閉枠が開く場合には、開いた開閉枠が、遊技盤の右側もしくは左側に配置され、遊技盤の前に人が立つことが可能となるが、上下方向に回転して開閉枠が開く場合に、遊技盤の上側もしくは下側で開閉枠が遊技盤の前に配置されることになり、遊技盤の前に人が立ちづらい状態となる。特に、上から下に回転移動して開く場合（開閉枠が遊技盤の下側に軸着されている場合）に、開閉枠が遊技盤の下側、すなわち、人の腰か、それより下の足の上部あたりの高さで開いた状態となり、遊技盤に近づきにくい状態となる。
従って、外側の第２の開閉枠が左右方向に開いた方が、第２の開閉枠を開いた後に遊技盤に容易に近づけるので、内側の第１の開閉枠を開きやすくなるとともに、第１の開閉枠が前面枠の上側部に軸着されて下から上に開くようになっていれば、開いた第１の開閉枠の下側に入り込むことで容易に遊技盤に近づいて作業ができる。
【００１２】
請求項３に記載の発明は、請求項２に記載の遊技機において、
前記第２の開閉枠の裏面に、開放状態の前記第１の開閉枠を所定の回動角度に保持する保持部材を備え、
前記保持部材は、前記第２の開閉枠の裏面方向に突出することで、前記開放状態の第１の開閉枠を載置可能に構成したことを特徴としている。
【００１３】
請求項３に記載の発明によれば、第２の開閉枠の保持部材により、下から上に回転移動して開く第１の開閉枠を開放状態に保持することができるので、第１の開閉枠を押えている必要がなく、遊技領域に関する作業を何ら問題なく行うことが可能となる。また、先に開放した第２の開閉枠の裏面を利用して効率よく第１の開閉枠を保持することができる。
【００１４】
請求項４に記載の発明は、請求項２または３に記載の遊技機において、
前記第１の開閉枠の周縁部に、閉鎖時において当該開閉枠とその周囲の部材との間に間隙部を形成可能な切り欠き部を形成したことを特徴としている。
【００１５】
請求項４に記載の発明によれば、第１の開閉枠を開放する際に、第１の開閉枠の密閉性が高くても、間隙部に手を挿入することで簡単に開放作業を行うことが可能となる。すなわち、外部から不正部材の挿入を想定した場合に、前面枠側の部材が第１の開閉枠の外周面を全周に渡って覆っていることが好ましい。
例えば、前面枠において、遊技盤の前側に、該遊技盤の前面が前方に臨むように筒状の枠部を形成し、該枠部に第１の開閉枠が入り込んで閉じる構成となっていることが好ましい。この場合には、第１の開閉枠が枠部内に入り込でいるので、第１の開閉枠を開けることが困難となるが、第１の開閉枠の周縁部に、閉鎖時において当該開閉枠とその周囲の部材（枠部）との間に間隙部を形成可能な切り欠き部を形成することで、切り欠き部に指等を挿入して容易に第１の開閉枠を開けることができる。
【００１６】
請求項５に記載の発明は、請求項１〜４の何れか１項に記載の遊技機において、
前記第１の開閉枠における開放端寄りの所定部位に係止して該第１の開閉枠を閉鎖状態に固定する固定装置を備え、
前記固定装置は、前記第２の開閉枠を所定角度開放しないと係止が解除されないように構成したことを特徴としている。
【００１７】
ここで、「第１の開閉枠における開放端寄りの所定部位」とは、例えば、第１の開放枠の下端部（開放端部）であり、第１の開放枠の左右側部の下端部や、第１の開放枠の下側部である。
また、「所定角度開放」の所定角度とは、第２の開閉枠を開放したことが容易に分かる角度であり、例えば、数メートル以上離れた位置から見ても、第２の開閉枠の開放端部と、前面枠の前記開放端部側の端部との間に隙間が生じているのが視認可能となるように第２の開閉枠が開放された際の角度である。なお、所定角度は、具体的には、上述の条件を満たすように設計時に決められた角度である。
請求項５に記載の発明によれば、固定装置により第１の開閉枠を確実に閉鎖状態に固定することができる。
また、固定装置は第２の開閉枠を所定角度開放しないと係止が解除されないので、第２の開閉枠を少しだけ開放して（周囲に目立たないように）不正行為を行おうとしても、第１の開閉枠は閉鎖状態に固定されているし、しかもその状態では、固定の解除は行えないので、不正行為を確実に防止できる。
【００１８】
すなわち、合鍵等を使って第１及び第２の開閉枠を不正に開放する際に、第１の開閉枠を例えばピアノ線等が挿入可能な程度に僅かに開放するだけなら、第２の開放枠を目立たない程度に僅かに開放した状態でピアノ線等により第１の開放枠を僅かに開放し、この状態で第１の開放枠の内側にピアノ線を挿入することができる可能性がある。また、上述のように役物と透明部材との間に遊技球が挟まる程度に、第１の開閉枠を開放する際も、合鍵等を用いて第２の開閉枠を目立たないように僅かに開放した後に、第１の開閉枠を引っ張ることで可能となる。
【００１９】
すなわち、本発明においても、合鍵を用いた不正行為と、他の不正行為とを組み合わせることで、ガラス枠に関する不正が可能となる場合が考えられるが、上述のように、第２の開閉枠を目立つほど開放しないと、第１の開閉枠が閉鎖され固定された状態を解除できないようになっていれば、第２の開閉枠を目立つほど開放しない限り、第１の開閉枠を僅かにも開閉することができなくなり、より確実に不正を防止できる。
【００２０】
請求項６に記載の発明は、請求項５に記載の遊技機において、
前記固定装置は、
非係止状態から左右方向に移動して前記第１の開閉枠の前面側に突出した係止状態に変換可能な係止部材と、
前記係止部材に連結され、前記第２の開閉枠が閉鎖状態の場合に、前記係止部材の非係止状態への変換を規制する連結部材と、
を設けたことを特徴としている。
【００２１】
請求項６に記載の発明によれば、固定装置は、第２の開閉枠の閉鎖状態においては、第２の開閉枠を手前側に引っ張っても、第１の開閉枠に対する係止状態は解除されないので、役物と透明部材との間に隙間が生じることがなく、遊技球をその隙間に挟み込む不正行為を確実に防止できる。すなわち、第１の開閉枠を閉状態に固定する係止部材は、被係止状態と係止状態とを、第１の開閉枠の前面の面方向に沿った左右方向への移動で切り替えるようになっており、第２の開閉枠が第１の開閉枠から離れるように回動移動しても、基本的に係止部材が第１の開閉枠の前面から前側に移動することはなく、勿論、第１の開閉枠が係止部材の移動に関係して前側に移動することもないので、役物と透明部材との間に隙間が生じることがない。すなわち、固定装置は、第２の開閉枠の第１の開閉枠に対して近づいたり遠ざかったりする（回転）移動を、第１の開閉部材の略面方向に沿った係止部材の移動に変換しており、第１の開閉枠に係止する固定装置が、第２の開閉枠の開閉に連動するようになっていても、第２の開閉枠の開放に基づいて固定装置を介して第１の開閉枠に開放方向に力が作用することはなく、上述のように第２の開閉枠が所定角度開放されるまで、第１の開閉枠は閉じたまま固定される。
【００２２】
請求項７に記載の発明は、請求項１〜６の何れか１項に記載の遊技機において、
前記第１の開閉枠は、複数の透明部材と、該複数の透明部材を保持する保持枠とから構成され、
前記第２の開閉枠は、前記（手前の）透明部材の所要範囲を前面側に臨ませる開口窓部を形成し、
前記保持枠は、前端部の内周を内側に延出させて前記（手前の）透明部材との間に間隙を形成する延出壁を有することを特徴としている。
【００２３】
請求項７に記載の発明によれば、延出壁（不正部材進入防止壁）を有しているので、第２の開閉枠における開口窓部の縁からガラス面に沿って不正部材（ピアノ線、セル板など）を進入されても、その進入を阻止することができ、不正行為を確実に防止できる。
すなわち、透明部材を備える第１の開閉枠と、その前で装飾部材を備えるとともに、透明部材の所要範囲を前面側に臨ませる開口窓部を有する第２の開閉枠とが別体に形成された場合に、装飾部材と透明部材との間にピアノ線やセル等の不正部材を挿入可能となってしまうが、上述のように延出壁で不正部材を止めることができる。
【発明の効果】
【００２４】
本発明によれば、遊技機前面の開閉枠を二重構造にしたので、例えば、合い鍵等により開閉枠を不正に開放する等の不正行為に対して有効となる。特に、遊技領域に対して不正行為を行うためには、第２の開閉枠をある程度大きく開放した後、第１の開閉枠を開放する必要があるので、非常に不正行為が目立つこととなり、このような不正行為を未然に防止できる。
さらに、第１と第２の開閉枠は独立した開閉機構を有していることから、第２の開閉枠を手前側に引っ張っても第１の開閉枠はずれることはないので、透明部材と役物との間に遊技球を挟み込む不正行為を防止できる。
【発明を実施するための最良の形態】
【００２５】
以下、この発明に係る施形態について、図面を参照しながら説明する。
図１及び図２は、本発明に係る遊技機の一形態として例示するパチンコ遊技機１を示すものである。
パチンコ遊技機１は、パチンコ遊技機１の外周部を構成するとともに、パチンコ遊技機１が設置される島設備に固定される矩形枠状で木製の機枠２と、機枠２の前面側の左右側部のうちの一側部となる左側部に軸着され、垂直な回動軸により機枠２に対して左右に回動することにより機枠２内側空間を開閉自在な前面枠１０と、前面枠１０の前面側の左右側部のうちの一側部となる左側部に軸着され、垂直な回動軸１４（図８に図示）により前面枠１０（前面枠１０を介して機枠２）に対して左右に回動することで、前面枠１０の前側空間を開閉可能な装飾枠２０（第２の開閉枠）と、装飾枠２０の裏面側で、前面枠１０の前側の上側部に軸着され、水平な回動軸３１，３１により前面枠１０（前面枠を介して機枠２）に対して上下に回動することで、前面枠の前側の空間を開閉可能なガラス枠ユニット３０（第１の開閉枠）と、前面枠１０の装飾枠２０の下側に配置された操作パネル４０とを備えるものである。
【００２６】
前記機枠２は、島設備に設置された状態で、上述の前面枠１０等を含むパチンコ遊技機１を構成する部材を支持するものである。
前記前面枠１０は、その上から２／３弱程度の部分が遊技盤３を支持する枠状収納部１１とされ、該枠状収納部１１の下側が図示しない発射装置等を備えたフレームボードとなっている。
そして、枠状収納部１１の内側の略方形状の開口部１２に前面枠１０の前面側から略方形状の遊技盤３が取り付けられている。また、遊技盤３は、枠状収納部１１の後部に取り付けられており、遊技盤３の前面側空間の周囲に開口部１２の内側面が配置され、遊技盤３の前面が枠状収納部１１の前面側開口に臨むようになっている。
【００２７】
そして、遊技盤３の前面側の遊技領域区画壁５（ガイドレール）で囲まれた領域が発射装置から発射された遊技球が流下する遊技領域４となっている。
なお、遊技盤３の遊技領域４となる前面には、例えば、遊技球が入賞するとともに、基本的に遊技球が入賞した場合に賞球（遊技球）を払い出す条件を成立させる各種入賞具として、遊技球の入賞を規制する開閉部材（可動部材）を有する電動役物を備えた各種変動入賞装置や、遊技球が入賞した場合に、変動入賞装置の開閉部材の開放動作や後述の変動表示装置における変動表示ゲームを始動する始動入賞口や、単に賞球を払い出す条件だけが成立する一般入賞口などを備えている。また、パチンコ遊技機１によっては、遊技盤３の遊技領域４となる前面に、液晶表示装置等を備える上述の変動表示装置が設けられるものがある。
【００２８】
また、遊技盤３の裏面側には、図示は省略するが、遊技球の排出動作等を制御する排出制御装置と、遊技領域４に設けられた変動表示装置の表示制御、パチンコ遊技機１が備えるランプやＬＥＤなどの発光部材の点灯・点滅状態の制御、及び、スピーカ等の出力の制御等を行う演出制御装置と、パチンコ遊技機１前面の操作ハンドル４６の操作に基づき遊技球を遊技領域４に発射させる発射装置と、この発射装置の制御を行う発射制御装置と、これら各制御装置等を統括制御する遊技制御装置等とが設けられている。
【００２９】
また、前面枠１０の枠状収納部１１の下の前記フレームボードの前面側には、左右側部のうちの一側部となる左側部を前面枠１０に軸着されて、左右方向に回動して開閉自在な開閉パネル４０とその下の操作パネル４５が備えられている。開閉パネル４０は、フレームボードの前面側を覆って隠すとともに、排出された遊技球を貯留するとともに、遊技球を発射する発射装置に遊技球を送る上皿４１を有している。また、開閉パネル４０の下側の操作パネル４５には、上皿４１に収容しきれない遊技球を収容する下皿４２及び灰皿４３と、前記遊技領域４に向けての遊技球の発射操作を行うとともに、該遊技領域４に遊技球を発射する際の発射勢を調節するための操作ハンドル４６などが設けられている。
【００３０】
前面枠１０の枠状収納部１１の前部には、遊技盤３の前面に対して遊技領域４となる間隔を開けて略方形状のガラス枠ユニット３０が開口部１２内に収納された状態に配置される。従って、ガラス枠ユニット３０は、閉状態においてその外周面が枠状収納部１１により覆われた状態となっている。
【００３１】
また、ガラス枠ユニット３０は、上述のように前面枠１０に対して開閉自在となっており、枠状収納部１１の開口部１２の上側となる内側面の左右両端部には、それぞれ、ガラス枠ユニット３０の回動軸３１，３１を回動自在に支持するための軸受部１３，１３が設けられている。
左右の軸受部１３，１３には、図３に示すように、互いに対向する側面にそれぞれ内側に向かって開口する円柱状の軸受孔１３ａ，１３ａが形成され、ガラス枠ユニット３０の上端部で左右に延出する回動軸３１，３１を回動自在に支持するようになっている。
これにより、ガラス枠ユニット３０は、上端部が軸支され、下端部を下から上に移動させるように回動自在となっている。従って、ガラス枠ユニット３０は、遊技盤３を収納する前面枠１０の前面側に、片開き形式で開放可能な開閉枠（第１の開閉枠）となる。
【００３２】
また、軸受部１３，１３の互いに対向する側面には、軸受部１３，１３の前面側空間と軸受孔１３ａ，１３ａとを連通する挿入溝１３ｂ，１３ｂが設けられている。挿入溝１３ｂ，１３ｂは、その幅が軸受部１３，１３の前面に開口する開口端部を除いて、軸受孔１３ａ，１３ａの内径より狭くなっており、回動軸３１，３１の断面略長方形となった後述の軸受挿入端部３１ａ，３１ａを所定の角度とした場合に、回動軸３１，３１の軸受挿入端部３１ａ，３１ａを軸受部１３，１３の前面側から挿入溝１３ｂ，１３ｂを通って軸受孔１３ａ，１３ａ内に挿入可能となっている。また、軸受挿入端部３１ａ，３１ａを所定の角度とした場合に、軸受孔１３ａ，１３ａから軸受挿入端部３１ａ，３１ａを取り出すことも可能となっている。
【００３３】
従って、前面枠１０の枠状収納部１１は、ガラス枠ユニット３０の上端部を回動自在に軸支しているとともに、着脱自在に軸支している。
なお、挿入溝１３ｂ，１３ｂは、軸受孔１３ａ，１３ａよりも軸受部１３，１３の前面側の開口端部の方が高くなっており、斜めに形成されている。また、挿入溝１３ｂ，１３ｂの軸受部１３，１３の前面側の開口端部がそれより軸受孔１３ａ，１３ａ側の部分より拡幅されるとともに、挿入溝１３ｂ，１３ｂの開口端部の対向する内側面同士の距離が外側に向うにつれて拡がるように斜めに形成されている。これにより、挿入溝１３ｂ，１３ｂに回動軸３１，３１の軸受挿入端部３１ａ，３１ａが容易に挿入できるようになっている。なお、ガラス枠ユニット３０の詳細については後述する。
【００３４】
前記装飾枠２０は、上述のように遊技盤３及びガラス枠ユニット３０を収納した状態の前面枠１０の枠状収納部１１の前面を覆った状態で配置されるとともに、左側部が前面枠１０に対して開閉自在に軸支されている。なお、装飾枠２０は、従来の遊技機において透明部材としてのガラス板を保持したガラス枠から、ガラス板を保持する部分を取り除いた形状を有するもので、基本的な構成、すなわち、前面枠１０への軸着構造等は、従来のガラス枠と同様の構成とすることが可能となっている。
【００３５】
そして、装飾枠２０は、左側部が前面枠１０の左側部に上述のように軸着されることで、装飾枠２０の開放側端部を右から左、後から前に回転移動させることで、前面枠１０の枠状収納部１１の前面を覆った状態から開放した状態に回転移動可能となっている。
従って、装飾枠２０は、遊技盤３を収納する前面枠１０の前面側に、片開き形式で開放可能な開閉枠（第２の開閉枠）となる。
【００３６】
以上のように、パチンコ遊技機１においては、第２の開閉枠となる装飾枠２０を前面枠１０の左右方向一側部に軸着する一方、第１の開閉枠となるガラス枠ユニット３０を前面枠１０の上側部に軸着するようにしたことから、第１の開閉枠と第２の開閉枠を別個に前面枠１０に対して軸支するとともに、各々の回動開放方向を異なるように設定したことになる。
【００３７】
また、装飾枠２０は、外形が枠状収納部１１に対応した略方形状とされるとともに、
ほぼ中央部に遊技盤３の遊技領域４に対応した略円形状の開口窓部２１を備え、閉状態において、前面枠１０に固定された遊技盤３の前面側の遊技領域４をガラス枠ユニット３０を介して前方に臨ませるようになっている。すなわち、パチンコ遊技機１の前側から装飾枠２０の開口窓部２１及びガラス枠ユニット３０を介して遊技領域４が視認可能となっている。
【００３８】
また、装飾枠２０は、閉じた状態で、前面枠１０の枠状収納部１１に閉じて収納された状態のガラス枠ユニット３０の前面側を覆うようになっており、ガラス枠ユニット３０の前面側に覆設された状態となっている。なお、装飾枠２０は開口窓部２１を備えるので、装飾枠２０がガラス枠ユニット３０の前面側に覆設されていても、開口窓部２１からガラス枠ユニット３０の中央部が露出することになる。すなわち、第２の開閉枠となる装飾枠２０は、透明部材となるガラス板３３，３３の所要範囲を前面側に臨ませる開口窓部２１が形成されている。
【００３９】
また、装飾枠２０の開口窓部２１の外側となる周囲部分には、ランプ、ＬＥＤ等の電気的発光部材やこの電気的発光部材で発光された光を透過するレンズ等の光学的装飾部材を含む装飾部材２２が配置されている。従って、装飾枠２０は、第１の開閉枠となるガラス枠ユニット３０の前面側に覆設され、パチンコ遊技機１の前面側を装飾する装飾部材２２を配設した第２の開閉枠となる。
また、装飾部材２２の開口窓部２１を囲む内周部には、装飾枠２０の前部から後部に向かって枠状（筒状）に仕切壁２３が設けられ、仕切壁２３の後端面がガラス枠ユニット３０（前方のガラス板３３）の前面に当接するようになっている。なお、装飾枠２０は、多くの部分が合成樹脂から形成されるが、強度を高めるために、装飾枠２０の裏面に補強金属板２４が取り付けられている。
【００４０】
また、装飾枠２０の開放端側となる右側部の下部には、装飾枠２０を閉めた場合に、装飾枠２０の内側で閉じた状態のガラス枠ユニット３０の下端部を閉鎖方向に向かって押える押え部材２８が形成されている。押え部材２８は、装飾枠２０を閉じた際に、ガラス枠ユニット３０の保持枠３４の右側部の下端部に当接し、ガラス枠ユニット３０ががたつかないように押えている。なお、押え部材２８は、装飾枠２０の裏面か後方に突出する弾性部材からなっており、装飾枠２０を閉じた状態で、弾性部材からなる押え部材２８が前後方向に縮むように弾性変形して、ガラス枠ユニット３０を後方に押圧し、ガラス枠ユニット３０を前面枠１０にがたつかないように固定する。
なお、装飾枠２０は、閉じた際に、従来のガラス枠と同様に鍵で開閉可能な前面枠１０側に設けられた施錠装置２９により閉じた状態に固定されるようになっている。
【００４１】
また、図４に示すように、装飾枠２０の裏面側の上端部には、後述するようにガラス枠ユニット３０を開いてほぼ水平となった状態に保持することが可能な保持部材２５が設けられている。また、装飾枠２０の裏面側の保持部材２５の取付位置には、保持部材２５を収納する収納凹部２６が形成されている。保持部材２５は、前面枠１０の前記軸受部１３，１３とほぼ同じ高さ位置に配置される板状の部材で、その下端部が水平な回動軸回りに回動自在に装飾枠２０の裏面の収納凹部２６の部分に軸支されている。
【００４２】
そして、保持部材２５は、図示しない保持部材２５の回動範囲を規制する回動範囲規制部材により、回動端部（先端）側を後方に向けて略水平に寝た状態と、回動端部側を略上に向けて略垂直に立った状態との間を回動移動可能となっている。また、保持部材２５は、立った場合に、僅かに開放端部が軸支部（基端部）より後方となるように斜めの状態で、回動範囲規制部材により回動を規制されている。従って、装飾枠２０が閉じた状態で、装飾枠２０の後にガラス枠ユニット３０（収納作用部３２）がある状態では、保持部材２５はガラス枠ユニット３０により支えられて立った状態を保持することができるが、装飾枠２０を開放すると、保持部材２５は自重で後方に倒れて、後方に延出して寝た状態となる。
【００４３】
そして、装飾枠２０をほぼ９０度開いた状態で、ガラス枠ユニット３０の下端部を持ち上げるようにガラス枠ユニット３０を開くとともに、ガラス枠ユニット３０の左右側部のうちの一方の側部となる左側部を、装飾枠２０裏面から後方に延出した状態の保持部材２５上に載せることで、ガラス枠ユニット３０を開放した状態に保持することができる。
なお、この状態で保持部材２５は、回動範囲規制部材により回動段部側がさらに下がるように移動することができず、ガラス枠ユニット３０を支持することができる。
従って、パチンコ遊技機１において、第２の開閉枠となる装飾枠２０の裏面に、開放状態の第１の開閉枠となるガラス枠ユニット３０を所定の回動角度（略水平となる９０度程度それより僅かに広い角度）に保持する保持部材２５が備えられ、該保持部材２５は、第２の開閉枠（装飾枠２０）の裏面方向に突出することで、開放状態の第１の開閉枠（ガラス枠ユニット３０）を載置可能に構成されている。
【００４４】
なお、ガラス枠ユニット３０を開放する際に、ガラス枠ユニット３０が保持部材２５に接触した場合には、保持部材２５が回動して立った状態となるので、ガラス枠ユニット３０の開放移動時の軌跡上に保持部材２５が有ってもガラス枠ユニット３０を開放するように回動移動することができる。
また、ガラス枠ユニット３０を閉じる際には、例えば、装飾枠２０を９０度よりさらに開いて保持部材２５をガラス枠ユニット３０の閉鎖移動時の軌跡上からどかすように移動すれば良い。なお、ガラス枠ユニット３０を開放する際に、装飾枠２０を９０度よりさらに開いて保持部材２５をガラス枠ユニット３０の閉鎖移動時の軌跡上からどかすように移動するとともに、ガラス枠ユニット３０が保持部材２５より高くなるようにした後に、装飾枠２０を少しだけ閉鎖方向に移動して、保持部材２５上にガラス枠ユニット３０を載置しても良い。
【００４５】
また、保持部材２５は、ガラス枠ユニット３０の後述する収納作用部３２により、装飾枠２０を閉じる際に、自動的に装飾枠２０の裏面の収納凹部２６及び収納作用部３２に僅かに斜めに立った状態に収納される。従って、保持部材２５は、装飾枠２０の開閉動作に応じて装飾枠２０の裏面側で後方に出没自在とされている。すなわち、保持部材２５は、装飾枠２０を開放方向に移動した際に自重により装飾枠２０の後方に突出し、装飾枠２０を閉鎖方向に移動した際にガラス枠ユニット３０と係合して前方に押し込まれるようになっている。なお、保持部材２５は、自重ではなく、バネ等の弾性部材（付勢手段）に付勢されて装飾枠２０の裏面から後方に延出するものとなっていても良い。
【００４６】
また、装飾枠２０の裏面の軸着側の側部の下端部、すなわち、左側部の下端部には、ガラス枠ユニット３０を閉状態に固定する後述の固定装置５０を、装飾枠２０の開閉に伴って固定及び固定解除させるための作用部材２７（図７等に図示）が設けられている。この作用部材２７は、装飾枠２０裏面から後方に突出して設けられている。なお、固定装置５０については、後に説明する。
【００４７】
ガラス枠ユニット３０は、図５に示すように、透明部材としての前後二重のガラス板３３，３３と、前後二枚のガラス板３３，３３を前後に間隔を開けて保持する保持枠３４と、保持枠３４の上側縁部に形成され、左右二本の回動軸３１，３１を有する軸着部３５と、前記収納作用部３２（図４に図示）と、前記固定装置５０の後述の係止部材５１が係止される係止受部３６と、ガラス枠ユニット３０を開放移動させる際に係員等の手が挿入される切り欠き部３７と、装飾枠２０の開口窓部２１からの不正部材の挿入を阻止する延出壁３８とを有する。
【００４８】
ガラス板３３，３３は、ガラス枠ユニット３０を閉じた状態で少なくとも遊技盤３の前方で、遊技領域４全体の前面を視認可能に覆い、遊技盤３前面と後方のガラス板３３の裏面との間に遊技領域４を形成する方形板状の透明部材である。なお、ガラス板３３，３３に変えて光透過率が高くかつ高強度の合成樹脂を用いるものとしても良く、透明部材の表面に傷防止、帯電防止、光反射防止等のコーディングを施すものとしても良い。
【００４９】
保持枠３４は、図５に示すように、前後二重のガラス板３３，３３の外周部を保持する方形枠状の部材で、内周側にガラス板３３，３３の外周部が嵌合する嵌合溝３４ａ、３４ａが形成され、保持枠３４内にガラス板３３，３３を収納した状態に保持する。従って、保持枠３４を有するガラス枠ユニット３０は、遊技盤３に形成される遊技領域４の前面側を塞ぐとともに該遊技領域４を透視可能な透明部材としてのガラス板３３，３３を収納する第１の開閉枠となる。また、第１の開閉枠としてのガラス枠ユニット３０は、複数の透明部材としてのガラス板３３，３３と、該複数の透明部材を保持する保持枠３４とから構成されている。
また、図６に示すように、保持枠３４の左右側部のうちの一側部となる右側部には、開閉自在に蓋部材３４ｂが設けられており、蓋部材３４ｂを開放した場合に、ガラス板３３，３３の右側部が露出し、保持枠３４に対してガラス板３３，３３が出入可能となっており、ガラス板３３，３３が傷ついた場合に、ガラス板３３，３３を交換可能となっている。
【００５０】
軸着部３５は、保持枠３４の上側縁部に形成され、保持枠３４の軸着部３５より下側に比較して左右幅が短くされ、軸着部３５において、保持枠３４の左右端部が、その下側より内側に配置されている。すなわち、保持枠３４の上側縁部となる軸着部３５の左右両端部には、それぞれ切り欠き部３５ａ、３５ａが形成されている。
そして、軸着部３５の左右のそれそれの端面からは、前記回動軸３１，３１が水平に外側に向けて延出している。また、回動軸３１，３１の先端部の左右位置が、保持枠３４の左右側面の位置と略一致している。なお、ガラス枠ユニット３０を前面枠１０に取り付けた場合に、ガラス枠ユニット３０の上側縁部の左右端部の外側となる切り欠き部３５ａ、３５ａの部分に、前面枠１０の軸受部１３，１３が配置された状態となる。
【００５１】
また、回動軸３１，３１の先端部には、上述の軸受挿入端部３１ａ，３１ａが設けられており、軸受挿入端部３１ａ，３１ａは、ガラス枠ユニット３０を垂直に閉じた状態で、円柱上の回動軸３１，３１の前部及び後部が垂直に切削されて、前後幅（前後方向の径）が回動軸３１，３１本体の直径より狭くなっているとともに、前記軸受部１３，１３の挿入溝１３ｂ，１３ｂより狭くなっている。すなわち、軸受挿入端部３１ａ，３１ａは、ガラス枠ユニット３０の上下方向に沿った径が回動軸３１，３１と同じ径とされ、ガラス枠ユニット３０の前後方向に沿った径が回動軸３１，３１の径及び挿入溝１３ｂ，１３ｂの幅より狭くされている。なお、軸受挿入端部３１ａ，３１ａの前後の切削された部分において、前面と後面とが互いに平行な平面とされている。また、挿入溝１３ｂ，１３ｂの幅は、回動軸３１，３１の本体の径よりは狭くなっている。
【００５２】
また、挿入溝１３ｂ，１３ｂは、上述のように軸受部１３，１３の前面側開口端部より、軸受孔１３ａ，１３ａ側が低くなるように斜めとなっている。従って、軸受部１３，１３の軸受孔１３ａ，１３ａに、回動軸３１，３１を入出することにより、前面枠１０にガラス枠ユニット３０を着脱する場合には、図５の示すように、ガラス枠ユニット３０を水平よりもさらに開いた状態、すなわち、ガラス枠ユニット３０の下端側が斜め上に向かう状態とすることにより、回動軸３１，３１の軸受挿入端部３１ａ，３１ａの前後面と、挿入溝１３ｂの内側面とが略平行となり、回動軸３１，３１の軸受挿入端部３１ａ，３１ａを挿入溝１３ｂ，１３ｂを通して軸受孔１３ａ，１３ａに出入可能となる。
【００５３】
なお、回動軸３１，３１の軸受挿入端部３１ａ，３１ａを挿入溝１３ｂ，１３ｂを通して軸受孔１３ａ，１３ａに出入可能となるガラス枠ユニット３０の開放角度は、装飾枠２０裏面の保持部材２５に開放した状態に保持されたガラス枠ユニット３０（図４（Ｂ）に示される状態）の開放角度よりさらに広いものとなっている。従って、ガラス枠ユニット３０を開放して、保持部材２５に保持される角度より僅かに大きい角度で開放した後にガラス枠ユニット３０を保持部材２５に載置する操作、すなわち、保持部材２５に開放したガラス枠ユニット３０を載置させる操作を行った際に、上述のようにガラス枠ユニット３０を着脱可能なガラス枠ユニット３０の開放角度となることがなく、さらにガラス枠ユニット３０を大きく開放しないと、ガラス枠ユニット３０を前面枠１０から外すことができないようになっている。従って、保持部材２５に開放したガラス枠ユニット３０を保持させる操作を行った際に、誤ってガラス枠ユニット３０を前面枠１０から外してしまうのを防止することができる。
【００５４】
収納作用部３２は、上述のように、装飾枠２０裏面から回動移動して後方に突出して寝た状態の保持部材２５を装飾枠２０を閉じる際に立ち上げて収納した状態とするものである。そして、収納作用部３２は、ガラス枠ユニット３０と装飾枠２０とを閉じた状態とした場合に、保持部材２５と前後に重なる位置に配置された凹部であり、その奥側で前方を向く内側の前面が下に行くほど前に出るような斜面となっている。すなわち、前側に下り傾斜する斜面となっている。
【００５５】
そして、ガラス枠ユニット３０を閉じた状態で、開いた装飾枠２０を閉鎖方向に移動していくと、装飾枠２０裏面から自重により倒れるように回転移動して後方に吐出した保持部材２５の先端部が収納作用部３２の内側の前面の下端部に当接する。
そして、さらに装飾枠２０を閉じると、斜面となった収納作用部３２の内側の前面に沿って、保持部材２５の先端部が上昇し、保持部材２５が寝た状態から立ち上がった状態に回動移動する。そして、装飾枠２０を完全に閉じた状態では、保持部材２５が収納作用部３２の内側の前面の傾斜に沿って斜めに立った状態となり、保持部材２５の下部が装飾枠２０裏面の収納凹部２６に収納され上部がガラス枠ユニット３０前面の収納作用部３２内に収納された状態となる。
また、この際に保持部材２５が斜めとなっていることにより、装飾枠２０を開放した際に、上述のように自重で寝た状態に回動移動し、装飾枠２０裏面から後方に突出した状態となる。
【００５６】
また、ガラス枠ユニット３０は、図５に示すように、その外周部が上述のように閉鎖時において、前面枠１０の枠状収納部１１に覆われている。そして、ガラス枠ユニット３０の外周と、枠状収納部１１の開口部１２の内周面との間には、極めて狭い間隔しかなく、指等を挿入することが不可能となっているが、ガラス枠ユニット３０の周縁部となる右側部の下部に、ガラス枠ユニット３０の外周を囲む枠状収納部１１の内側面との間に指を挿入可能な間隙部３７ａを形成可能な切り欠き部３７が形成されている。
【００５７】
すなわち、ガラス枠ユニット３０の保持枠３４の左側面の下部に、周囲の外周部より凹んだ状態の切り欠き部３７が設けられており、この切り欠き部３７において、ガラス枠ユニット３０と、枠状収納部１１との間に指を挿入可能となっている。
従って、パチンコ遊技機１においては、第１の開閉枠となるガラス枠ユニット３０の周縁部に、閉鎖時において当該開閉枠とその周囲の部材との間に間隙部３７ａを形成可能な切り欠き部３７が形成されている。
また、切り欠き部３７においては、ガラス枠ユニット３０の側面が左右方向に凹んでいるだけではなく、ガラス枠ユニット３０の裏面側において、前後方向に凹んでいる。従って、ガラス枠ユニット３０の切り欠き部３７の裏面側にも、間隙部３７ｂが形成されており、ガラス枠ユニット３０の切り欠き部３７か挿入した指の先を、間隙部３７ｂにおいてガラス枠ユニット３０の裏面側にかけて、枠状収納部１１から容易にガラス枠ユニット３０を引き出して、ガラス枠ユニット３０を開状態とすることができる。
【００５８】
延出壁３８は、図５に示すように、保持枠３４に形成されている。保持枠３４の内側面には、上述のようにガラス板３３，３３の外周部が嵌合する嵌合溝３４ａ，３４ａが形成されているとともに、前側のガラス板３３が嵌合される嵌合溝３４ａより前に、保持枠３４の前面に沿ってガラス板３３、３３と平行で、かつ、前のガラス板３３の前面との間に間隔をあけて、延出壁３８が保持枠３４の内側面から内側に向かって延出して形成されている。また、延出壁３８は、保持枠３４の全周に渡って形成されている。すなわち、延出壁３８は、ガラス板３３，３３の外周部の前側に該外周部に沿って枠状に形成されている。従って、保持枠３４は、前端部の内周を内側に延出させて前記透明部材との間に間隙を形成する延出壁３８を有する。
【００５９】
また、保持枠３４本体の前面と延出壁３８の前面とは面一となるように形成されている。そして、延出壁３８は、装飾枠２０の開口窓部２１の仕切壁２３とガラス枠ユニット３０の前側のガラス板３３との間からピアノ線、セル板といった不正部材をガラス枠ユニット３０の前面に沿って外周側に挿入した場合に、不正部材の先端部が延出壁３８と前側のガラス板３３との間に入り込むようになっている。
これにより、装飾枠２０の開口窓部２１から挿入した不正部材の先端部が延出壁３８を越えることができず、不正行為を防止することができる。
【００６０】
なお、ガラス枠ユニット３０の裏面側には、ガラス枠ユニット３０を閉めた際の衝撃を緩衝するゴム等の弾性体からなる緩衝部材を備えることが好ましい。このように緩衝部材を設けることにより、ガラス枠ユニット３０を自重により勢いよく閉めた場合に、前面枠１０と接触した際の衝撃によりガラス板３３，３３が破損するのを防止することができる。
【００６１】
固定装置５０は、ガラス枠ユニット３０を閉じた状態で、その前にさらに装飾枠２０を閉じた際に、ガラス枠ユニット３０を閉じた状態に固定するとともに、装飾枠２０を周囲に目立つ程度に予め設定された開放角度まで開かないと固定が解除できないようになったものである。
そして、固定装置５０は、図７及び図８に示すように、前面枠１０の枠状収納部１１の装飾枠２０が軸着された側の側部となる左側部の下端部に引込んだ被係止状態と、枠状収納部１１の側部から内側のガラス枠ユニット３０の左側部下端部の前記係止受部３６の前に延出して係止受部３６の前面側に当接した係止状態との間を左右方向に移動自在な係止部材５１と、該係止部材５１に連結され、装飾枠２０の開閉動作に連動して係止部材５１を移動させる連結部材５２とを備えている。
なお、固定装置５０に関連する構成として、装飾枠２０裏面の軸着側側部となる右側部の前記連結部材５２と係合する位置に設けられた前記作用部材２７と、前記係止部材５１に係止される係止受部３６とがある。
【００６２】
そして、連結部材５２は、板状（棒状でも可）の部材で、その中央部を前面枠１０の枠状収納部１１に垂直な回動軸５２ａにより回動自在に軸支されている。また、連結部材５２は、図示しないストッパにより、図８（Ａ）に示すように、パチンコ遊技機１の前後方向（ガラス枠ユニット３０の前面の面方向となる左右方向と直交する方向）に沿った状態で前端部がそれ以上右に向かうように回動移動するのを規制されている。すなわち、連結部材５２は、前記ストッパ等の回動範囲規制部材により、図８（Ａ）に示すように、前後方向を向いた状態から、図８（Ｂ）に示すように、連結部材５２の前端部が左方向に移動して左斜め前を向いた状態までの間を移動可能となっている。
【００６３】
また、連結部材５２は、回動軸５２ａの周囲に巻かれた状態の図示しないねじりバネやその他のバネ等の付勢手段により、前端部を右方向に移動させる回転方向に付勢されており、装飾枠２０の作用部材２７に押圧されていない状態では、図８（Ａ）に示すように前後方向に沿った状態を維持し、作用部材２７により押されて図８（Ｂ）に示すように左斜め前を向いた状態なっても、作用部材２７による押圧が解除されると、前後方向に沿った状態に戻るようになっている。
【００６４】
すなわち、連結部材５２は、装飾枠２０を開放した状態では、図８（Ａ）に示すように、前後方向に沿った状態を維持し、装飾枠２０を閉鎖した状態では、図８（Ｂ）に示すように装飾枠２０の裏面から後方に突出する作用部材２７に押されて左斜め前を向いた状態となる。なお、連結部材５２には、後述するように係止部材５１を左右方向を向いた状態に維持するために、連結部材５２に設けられ、連結部材５２の回動中心を回動中心とする図示しない歯車（扇歯車）を備える。
【００６５】
前記係止部材５１は、左右方向に沿って配置されるとともに、ガラス枠ユニット３０の反対側となる左端部が連結部材５２の後端部に垂直な回動軸５１ａにより回動自在に軸支されている。また、係止部材５１は、連結部材５２に固定された歯車と噛み合うとともに係止部材５１の回動中心を回動中心とする図示しない歯車（扇歯車）を備える。前記連結部材５２の歯車と係止部材５１との歯車とが噛み合うことにより、上述のように、連結部材５２が回動移動した場合に、連結部材５２の後端部に連結された係止部材５１は、左右方向に沿った向きを維持した状態で連結部材５２の他端部の移動に対応して左右方向に移動する。なお、連結部材５２が回動移動していることから、係止部材５１は左右方向に沿った状態で左右に移動する際に前後にも移動することになる。なお、係止部材５１を左右方向に沿った向きで移動させるのに、歯車ではなく平行リンクを用いるものとしても良し、係止部材５１の移動を規制して平行移動するように案内するガイドを設けても良い。
【００６６】
そして、装飾枠２０を閉じることにより、作用部材２７に押されて連結部材５２の前端部が右、すなわち、ガラス枠ユニット３０から離れる方向に移動した場合に、連結部材５２の後端部は、左、すなわち、ガラス枠ユニット３０に近付く方向に移動し、連結部材５２の後端部に接続された係止部材５１は、その先端部となる左端部がガラス枠ユニット３０の左側部の係止受部３６の前側に移動し、係止部材５１の先端部がガラス枠ユニット３０の係止受部３６に接触した状態なる。
なお、係止受部３６の前面は斜めに切欠かれた形状となっており、ガラス枠ユニット３０の中央側から側縁側に向かうにつれて後に後退する斜面となっている。
また、係止部材５１の先端部の係止受部３６と接触する後側の角部も、係止受部３６の斜面と同じ傾斜の斜面となるように切り取られた状態となっている。
【００６７】
そして、これら斜面の傾斜角は、スライド移動する係止部材５１の移動方向に対応するものとなっている。なお、係止部材５１は、閉状態の装飾枠２０を開放方向に移動させはじめた際に、後方側すなわち、ガラス枠ユニット３０を押しつける方向に移動するので、係止部材５１が前後方向に移動する構成となっていても、装飾枠２０を開放した際に、ガラス枠ユニット３０が遊技盤３から離れるように移動することはない。
従って、図８（Ｂ）に示すように、装飾枠２０が完全に閉じた状態から、図８（Ｃ）に示すように、装飾枠２０が目立つほど開放した所定開放角度となるまで、係止部材５１の先端部と、ガラス枠ユニット３０の係止受部３６とは接触した状態に保たれることとなる。係止部材５１と係止受部３６とが接触した状態で、ガラス枠ユニット３０を開放しようとすると、係止受部３６の前側に接触している係止部材５１が前方に押されることになる。そして、係止部材５１の先端部が前方に押されることにより、係止部材５１が連結部材５２に軸支された位置を中心として回動移動する方向に力がかかるが、上述のように歯車が噛み合っているので力が連結部材５２に伝わり、連結部材５２の先端部を右方向、すなわち、装飾枠２０の裏面から突出した作用部材２７方向に力がかかることになる。しかし、連結部材５２は、作用部材２７に当接しているので回転できず、係止部材５１も回転できないので、ガラス枠ユニット３０は閉じた状態に固定されたままとなる。
【００６８】
従って、パチンコ遊技機１において、第１の開閉枠となるガラス枠ユニット３０における開放端寄りの所定部位に係止して該第１の開閉枠を閉鎖状態に固定する固定装置５０を備え、この固定装置５０は、第２の開閉枠となる装飾枠２０を所定角度開放しないと係止が解除されないように構成されている。また、固定装置５０は、非係止状態から左右方向に移動して前記第１の開閉枠（ガラス枠ユニット３０）の前面側に突出した係止状態に変換可能な係止部材５１と、この係止部材５１に連結され、第２の開閉枠（装飾枠２０）が閉鎖状態の場合に、係止部材５１の非係止状態への変換を規制する連結部材５２とを設けた構成となっている。
このような固定装置５０によれば、上述のように装飾枠２０が所定の開放角度となるまで、ガラス枠ユニット３０を開放できないように、ガラス枠ユニット３０を固定することができる。
【００６９】
例えば、内側のガラス板３３と遊技領域４内の電動役物の可動部材との間に遊技球を挟む不正を行うために、装飾枠２０を僅かに前に引張っても、固定装置５０がガラス枠ユニット３０を閉状態に固定したままとなるので、ガラス枠ユニット３０のガラス板３３と、電動役物との間に遊技球を挟めるような隙間が生じることがなく、不正を防止できる。
【００７０】
また、装飾枠２０を目立たないように僅かに開放するとともに、ガラス枠ユニット３０を僅かに開放して、例えば、遊技領域４側に不正部材を挿入しようとしても、固定装置５０により装飾枠２０を予め設定された開放角度（開放されたことが目立つ開放角度）まで、装飾枠２０を開放しないと、ガラス枠ユニット３０を僅かにも開放することができない。
【００７１】
なお、上述のような固定状態で、ガラス枠ユニット３０を大きな力で開けようとすると、上述のように係止部材５１と連結部材５２とにより、装飾枠２０の作用部材２７に、装飾枠２０を開放させる方向に力が伝わり、装飾枠２０が開放方向に移動してしまう。
従って、ガラス枠ユニット３０を無理に大きな力で開放しようとすると、ガラス枠ユニット３０が開放することとなるが、この際には、上述のように固定装置５０により、装飾枠２０を開放するように装飾枠２０に力がかかり、ガラス枠ユニット３０を開放した際に、装飾枠２０が予め設定された開放角度以上に開放してしまい、目立つ状態となり、不正を発見される可能性が極めて高くなる。
従って、固定装置５０により不正を防止することができる。なお、ガラス枠ユニット３０を例えば、手の全体が遊技領域４に入るほど開放しようとした場合には、固定装置５０がなくとも装飾枠２０を大きく開ける必要があり、固定装置５０が無い場合でも、不正を防止する効果がある。例えば、装飾枠２０及びガラス枠ユニット３０を９０度以上開放した状態が完全に開放した状態とすると、装飾枠２０を８０度程度（９０％程度の開放率）開放しないと、ガラス枠ユニット３０を完全に開放することができず、ガラス枠ユニット３０を開放した状態では、極めて目立つ状態となる。
【００７２】
なお、固定装置５０は、上述のものに限られるものではなく、装飾枠２０を予め設定された開放角度となるまで開放しないと、係止部材５１がガラス枠ユニット３０の前面側（係止受部３６）に当接した状態が解除されないようになっていれば良い。
例えば、固定装置５０の変形例として図９に示す固定装置６０を説明する。
固定装置６０は、固定装置５０の連結部材５２と係止部材５１との機能を兼ねる係止部材６１を有し、係止部材６１は、その上部がパチンコ遊技機１の前後方向に沿うとともに水平な回動軸６２により回動自在に軸支され、係止部材６１の下部が左右に揺動自在とされている。また、係止部材６１の回動軸６２より上の部分が斜め右（ガラス枠ユニット３０側）を向くように屈曲し、回動軸６２より下の下端部が右を向くように略直角に屈曲している。
【００７３】
また、係止部材６１は、その上部を回動軸６２に軸支された状態で、図９（Ｂ）に示すように、自重により係止部材６１全体が、閉じた状態のガラス枠ユニット３０より左側、すなわち、ガラス枠ユニット３０の前ではなく側方に配置された状態となり、ガラス枠ユニット３０の開放方向への回転移動を妨げないようになっている。
【００７４】
また、係止部材６１の上端部には、装飾枠２０を所定開放角度以下とした場合に、前述の作用部材２７とほぼ同様に、装飾枠２０の裏面から後方に突出して形成された作用部材２７ａに係合する係合ピン６３が、前方に向かって突出して形成されている。
この係合ピン６３は、例えば、装飾枠２０を開状態から閉状態にする際に、装飾枠２０の開放角度が、上述の所定開放角度となる少し前（所定開放角度より僅かに広い角度となった際）に、装飾枠２０裏面から後方に突出する作用部材２７ａに接触することになる。
【００７５】
これにより、装飾枠２０を閉鎖方向に移動すると、係合ピン６３に接触した作用部材２７ａが係合ピン６３をガラス枠ユニット３０の反対となる方向に押すことになる。そして、係止部材６１の回動軸６２より上の係合ピン６３がガラス枠ユニット３０の反対側に移動することで、係止部材６１の下端部は、ガラス枠ユニット３０に向かって移動することになる。
さらに、装飾枠２０を閉鎖方向に移動し、装飾枠２０が所定開放角度となると、係止部材６１の下端部がガラス枠ユニット３０の係止受部３６ａの前に移動し、係止部材６１の下端部とガラス枠ユニット３０が前後に重なって、係止部材６１がガラス枠ユニット３０を閉じた状態に固定することになる。
【００７６】
そして、装飾枠２０を完全に閉じると、図９（Ｃ）に示すように、係止部材６１の直角に屈曲した下端部全体がガラス枠ユニット３０の係止受部３６と前後に重なった状態となる。なお、係止受部３６ａは、ガラス枠ユニット３０の固定装置６０側の側部で前面を凹ませた凹部となっているとともに、凹部内部の前面が、上述の固定装置５０における係止受部３６とは異なり、ガラス枠ユニット３０の前面と平行とされている。
【００７７】
そして、上述のように装飾枠２０が所定開放角度から閉状態の間においては、係止部材６１がガラス枠ユニット３０の係止受部３６ａの前にあるので、ガラス枠ユニット３０は閉状態に固定され、装飾枠２０を所定開放角度以上とした場合に、ガラス枠ユニット３０を開放可能となる。
なお、係止部材６１の直角に屈曲した下端部には、係止部材６１を回動操作する操作手段となる操作ピン６４が設けられ、装飾枠２０を手が入る程度以上に開放した際に、操作ピン６４を操作することで係止部材６１を回動可能となっている。
【００７８】
これは、例えば、装飾枠２０を開放する際に、係止部材６１は自重により回動してガラス枠ユニット３０の固定が解除されるが、係止部材６１が係止受部３６と重なった状態では、これらの間の摩擦等により係止部材６１が自重だけで回動できなくなる可能性があり、そのような場合に、操作ピン６４を操作することで、ガラス枠ユニット３０の固定を解除することができる。
なお、装飾枠２０が所定開放角度より閉じた状態なっている場合でも、操作ピン６４を操作することで、ガラス枠ユニット３０の固定を解除可能となるが、この場合も固定装置５０の場合と同様に、操作ピン６４を操作することで係止部材６１が回動し、係合ピン６３が装飾枠２０の作用部材２７ａを装飾枠２０が開放する方向に押圧し、固定が解除された際に、装飾枠２０が所定開放角度以上に開放されて目立つことになる。
【００７９】
また、ガラス枠ユニット３０の係止受部３６ａに、係止部材６１の回転を規制するストッパとなるとともに、係止部材６１の屈曲した下端部と係合する係合部材を設けても良い。これにより、装飾枠２０を完全に閉じた状態とすると、係止部材６１の下端部が係止受部３６ａの係合部材と係合し、操作ピン６４を操作して係止部材６１を回動させないと、ガラス枠ユニット３０の固定が解除できない構成とすることができ、より確実に不正行為を防止できる。
【００８０】
また、以上の説明では、ガラス枠ユニット３０を手動操作して開放するものとしたが、図１０に示す開放アキュムレーター７０により開放するものとしても良い。開放アキュムレーターは、ガス圧により付勢力を得る空気バネに油圧ダンパ機能を付加したもので、空油圧タイプのものである。そして、開放アキュムレーター７０は、例えば、扉や蓋等のロックを外した際に、これら扉や蓋等を開放側に付勢して緩やかに開放させる（もしくは開放をアシストする）とともに開放した状態に維持するものである。
【００８１】
なお、ガラス枠ユニット３０を開放方向に付勢する部材は、開放アキュムレーターに限られるものではないが、電気的駆動源を必要としないことが好ましく、さらに、開放時のガラス板３３，３３の破損等を防止するために急激な動作をしないものが好ましいことから、バネとダンパを組み合わせたものを用いることが好ましい。
【００８２】
そして、図１０に示すように、開放アキュムレーター７０は、油圧ダンパ及び空気バネとして機能するシリンダ７１及びピストンロッド７２を備えている。
そして、前面枠１０上部の遊技盤３を収納した枠状収納部１１の左右側部のうちの一側部で、かつ、ガラス枠ユニット３０の一側部と重なる位置の上部に開放アキュムレーター７０の一端部（シリンダ７１側端部）が回動自在に連結されている。また、ガラス枠ユニット３０の一側部の中央より僅かに上の部分に開放アキュムレーター７０の他端部（ピストンロッド７２側端部）が回動自在に連結されている。これにより、図１０に示すようにガラス枠ユニット３０を閉じた状態で、後述のロック装置７５を外した場合に、ガラス枠ユニット３０が開放アキュムレーター７０により開放方向に付勢され、自動的に開放する。
【００８３】
そして、図１０（Ｂ）に示すようにガラス枠ユニット３０が予め設定された開放角度となったところで開放アキュムレーター７０がそれ以上伸びない状態となるか、図示しないストッパにより規制され、ガラス枠ユニット３０が開状態に保持された状態となる。
【００８４】
また、ガラス枠ユニット３０を閉じる際には、開放アキュムレーター７０の付勢力に抗してガラス枠ユニット３０を閉鎖方向に押し込み、ガラス枠ユニット３０が閉じた状態でロックする。
ロック装置７５は、ガラス枠ユニット３０の下端部に設けられ、前面枠１０のガラス枠ユニット３０下端部に対応する枠状収納部１１の下部に設けられた被係止部材７６に係止されるロック係止部材７８を有する。また、ロック係止部材７８は、ガラス枠ユニット３０前面の下端部に固定された支持ベース７７に対して上下動自在に嵌合しているとともに、バネ７９により下方に付勢されている。
また、ロック係止部材７８の被係止部材７６に接触する前面は、ガラス枠ユニット３０の前面とほぼ平行とされ、前面の反対側の後面は上にいくほど前面から離れる斜面とされている。
【００８５】
また、前面枠１０に設けられた被係止部材７６は、予め設定された上下範囲内で上下動自在に前面枠１０に嵌合しているとともに、図示しない操作部を有し、操作部を押し下げることにより下方に移動し、バネ等の付勢手段の付勢力により操作部から手を離すと上方に戻るように移動する。また、被係止部材７６は、板状の部材で、ガラス枠ユニット３０の前面に対して平行に配置されている。
【００８６】
そして、被係止部材７６を押し下げると、被係止部材７６裏面とロック係止部材７８前面とが上下に離れロックが解除される。一方、被係止部材７６が付勢手段に付勢されて上に移動した状態で、ガラス枠ユニット３０を開状態から閉鎖方向に移動すると、被係止部材７６の前面の上端部にロック係止部材７８の裏面となる斜面の下端部が接触する。この際に、ロック係止部材７８は、斜面が被係止部材７６に押された状態となり、バネの付勢力に抗して上方に移動する。なお、被係止部材７６がバネの付勢力に抗して下方に移動しても良い。そして、上方に移動したロック係止部材７８が被係止部材７６を乗り越えるとともに、被係止部材７６による上方への押圧力がなくなることでロック係止部材７８が下降し、被係止部材７６にロック係止部材７８が係止して、ガラス枠ユニット３０を閉じた状態にロックすることになる。
【００８７】
なお、ガラス枠ユニット３０を開放アキュムレーター７０で開放可能とするとともに開放した状態に保持可能とした場合には、上述のガラス枠ユニット３０を開放した状態に保持するための装飾枠２０の保持部材２５を設ける必要はない。
また、ロック装置７５は、上述のものに限らす、周知のロック装置を用いることができる。また、上記固定装置５０，６０をロック装置として用いるものとしても良く、装飾枠２０を所定開放角度以上開放すると、ゆっくりとガラス枠ユニット３０が開放方向に移動を開始する構成としても良い。
【００８８】
以上のようなパチンコ遊技機１は、遊技盤３を収納する前面枠１０の前面側に、片開き形式で開放可能な開閉枠（ガラス枠ユニット３０、装飾枠２０）を設けるようにしたもので、前記開閉枠は、前記遊技盤３に形成される遊技領域４の前面側を塞ぐとともに該遊技領域４を透視可能な透明部材（ガラス板３３，３３）を収納する第１の開閉枠（ガラス枠ユニット３０）と、前記第１の開閉枠の前面側に覆設され、当該パチンコ遊技機１の前面側を装飾する装飾部材２２を配設した第２の開閉枠（装飾枠２０）とから構成され、前記第１の開閉枠と第２の開閉枠を別個に前記前面枠１０に対して軸支するとともに、各々の回動開放方向を異なるように設定している。
【００８９】
従って、パチンコ遊技機１前面の開閉枠を装飾枠２０とガラス枠ユニット３０との二重構造にしたので、例えば、合い鍵等により開閉枠を不正に開放する等の不正行為に対して有効となる。特に、ガラス枠ユニット３０と装飾枠２０とを別個に前記前面枠１０に対して軸支するとともに、各々の回動開放方向を異なるように設定したことにより、遊技領域４に対して不正行為を行うためには、装飾枠２０をある程度大きく開放した後、ガラス枠ユニット３０を開放する必要があるので、非常に不正行為が目立つこととなり、このような不正行為を未然に防止できる。
さらに、ガラス枠ユニット３０と装飾枠２０とは独立した開閉機構を有していることから、装飾枠２０を手前側に引っ張ってもガラス枠ユニット３０は位置がずれることはないので、内側のガラス板３３と役物との間に遊技球を挟み込む不正行為を防止できる。すなわち、外側の装飾枠２０を引張っても、内側のガラス枠ユニット３０は動かず、ガラス枠ユニット３０に配置された内側のガラス板３３と遊技盤３に形成された役物との間に遊技球が挟まるような隙間ができることがない。
【００９０】
また、本実施形態のパチンコ遊技機１においては、第２の開閉枠（装飾枠２０）を前記前面枠１０の左右方向一側部に軸着する一方、前記第１の開閉枠（ガラス枠ユニット３０）を該前面枠１０の上側部に軸着するようにしている。
【００９１】
従って、外側の装飾枠２０を前記前面枠１０の左右方向一側部に軸着する一方、内側のガラス枠ユニット３０を該前面枠１０の上側部に軸着するようにしたので、左右何れかに回転移動することで開くとともに外側となる装飾枠２０を大きく開かないと、上に向かって回転移動すことで開くとともに内側となるガラス枠ユニット３０の開放操作を行うことが困難であり、前記開閉枠を目立たないように僅かに開放して行われる不正行為が難しくなる。
【００９２】
さらに、二重に開閉枠を備えても、その開閉作業を迅速に行うことができる。例えば、外側の開閉枠が上に向かって回動移動することで開き、内側の開閉枠が左右方向の何れかに向かって回転移動することで開く構成となっていると、外側の開閉枠が閉じないように押えた状態で、内側の開閉枠を左右方向に回転移動する必要があるが、外側の開閉枠が左右方向に回転移動することで開く構成となっていると、一度開けた外側の開閉枠は外力が作用しない限り開いたままとなるので押えている必要はなく、容易に内側の開閉枠を開くことができる。
また、開閉枠を９０度程度回転させて開放することを想定した場合に、左右方向に回転して開閉枠が開く場合には、開いた開閉枠が、遊技盤３の右側もしくは左側に配置され、遊技盤３の前に人が立つことが可能となるが、上下方向に回転して開閉枠が開く場合に、遊技盤３の上側もしくは下側で開閉枠が遊技盤３の前に配置されることになり、遊技盤３の前に人が立ちづらい状態となる。特に、上から下に回転移動して開く場合（開閉枠が遊技盤３の下側に軸着されている場合）に、開閉枠が遊技盤３の下側、すなわち、人の腰か、それより下の足の上部あたりの高さで開いた状態となり、遊技盤に近づきにくい状態となる。
従って、外側の装飾枠２０が左右方向に開いた方が、装飾枠２０を開いた後に遊技盤３に容易に近づけるので、内側のガラス枠ユニット３０を開きやすくなるとともに、ガラス枠ユニット３０が前面枠１０の上側部に軸着されて下から上に開くようになっていれば、開いたガラス枠ユニット３０の下側に入り込むことで容易に遊技盤３に近づいて作業ができる。
【００９３】
また、本実施形態のパチンコ遊技機１においては、前記第２の開閉枠（装飾枠２０）の裏面に、開放状態の前記第１の開閉枠（ガラス枠ユニット３０）を所定の回動角度に保持する保持部材２５を備え、前記保持部材２５は、前記第２の開閉枠の裏面方向に突出することで、前記開放状態の第１の開閉枠を載置可能に構成している。
【００９４】
従って、装飾枠２０の保持部材２５により、下から上に回転移動して開くガラス枠ユニット３０を開放状態に保持することができるので、ガラス枠ユニット３０を押えている必要がなく、遊技領域４に関する作業を何ら問題なく行うことが可能となる。また、先に開放した装飾枠２０の裏面を利用して効率よくガラス枠ユニット３０を保持することができる。
【００９５】
また、本実施形態のパチンコ遊技機１においては、前記第１の開閉枠（ガラス枠ユニット３０）の周縁部に、閉鎖時において当該開閉枠とその周囲の部材との間に間隙部３７ａを形成可能な切り欠き部３７を形成している。
【００９６】
従って、ガラス枠ユニット３０を開放する際に、ガラス枠ユニット３０の密閉性が高くても、間隙部３７ａに手を挿入することで簡単に開放作業を行うことが可能となる。すなわち、外部から不正部材の挿入を想定した場合に、前面枠１０の枠状収納部１１がガラス枠ユニット３０の外周面を全周に渡って覆っていることが好ましい。
例えば、前面枠１０において、遊技盤３の前側に、該遊技盤３の前面が前方に臨むように筒状の枠部（枠状収納部１１の前部）を形成し、該枠部にガラス枠ユニット３０が入り込んで閉じる構成となっていることが好ましい。この場合には、ガラス枠ユニット３０が枠部内に入り込でいるので、ガラス枠ユニット３０を開けることが困難となるが、ガラス枠ユニット３０の周縁部に、閉鎖時において当該開閉枠とその周囲の部材（枠状収納部１１）との間に間隙部３７ａを形成可能な切り欠き部３７を形成することで、切り欠き部３７に指等を挿入して容易にガラス枠ユニット３０を開けることができる。
【００９７】
また、本実施形態のパチンコ遊技機１においては、前記第１の開閉枠（ガラス枠ユニット３０）における開放端寄りの所定部位に係止して該第１の開閉枠を閉鎖状態に固定する固定装置５０，６０を備え、前記固定装置５０は、前記第２の開閉枠（装飾枠２０）を所定角度開放しないと係止が解除されないように構成している。
【００９８】
従って、固定装置５０，６０によりガラス枠ユニット３０を確実に閉鎖状態に固定することができる。
また、固定装置５０，６０は装飾枠２０を所定角度開放しないと係止が解除されないので、装飾枠２０を少しだけ開放して（周囲に目立たないように）不正行為を行おうとしても、ガラス枠ユニット３０は閉鎖状態に固定されているし、しかもその状態では、固定の解除は行えないので、不正行為を確実に防止できる。
【００９９】
また、本実施形態のパチンコ遊技機１においては、前記固定装置５０は、非係止状態から左右方向に移動して前記第１の開閉枠（ガラス枠ユニット３０）の前面側に突出した係止状態に変換可能な係止部材５１と、前記係止部材５１に連結され、前記装飾枠２０が閉鎖状態の場合に、前記係止部材５１の非係止状態への変換を規制する連結部材５２とを設けている。
【０１００】
従って、固定装置５０は、装飾枠２０の閉鎖状態においては、装飾枠２０を手前側に引っ張っても、ガラス枠ユニット３０に対する係止状態は解除されないので、役物とガラス板３３，３３との間に隙間が生じることがなく、遊技球をその隙間に挟み込む不正行為を確実に防止できる。すなわち、ガラス枠ユニット３０を閉状態に固定する係止部材５１は、被係止状態と係止状態とを、ガラス枠ユニット３０の前面の面方向に沿った左右方向への移動で切り替えるようになっており、装飾枠２０がガラス枠ユニット３０から離れるように回動移動しても、基本的に係止部材５１がガラス枠ユニット３０の前面から前側に移動することはなく、勿論、ガラス枠ユニット３０が係止部材５１の移動に関係して前側に移動することもないので、役物とガラス板３３，３３との間に隙間が生じることがない。
【０１０１】
すなわち、固定装置５０は、装飾枠２０のガラス板３３，３３に対して近づいたり遠ざかったりする（回転）移動を、ガラス板３３，３３の略面方向に沿った係止部材５１の移動に変換しており、ガラス板３３，３３に係止する固定装置５０が、装飾枠２０の開閉に連動するようになっていても、装飾枠２０の開閉に基づいて固定装置５０を介してガラス枠ユニット３０に開閉方向に力が作用することはなく、上述のように装飾枠２０が所定角度開放されるまで、ガラス枠ユニット３０は閉じたまま固定される。
【０１０２】
また、本実施形態のパチンコ遊技機１においては、前記第１の開閉枠（ガラス枠ユニット３０）は、複数の透明部材（ガラス板３３，３３）と、該複数の透明部材を保持する保持枠３４とから構成され、前記第２の開閉枠（装飾枠２０）は、（手前の）透明部材の所要範囲を前面側に臨ませる開口窓部２１を形成し、前記保持枠３４は、前端部の内周を内側に延出させて前記（手前の）透明部材との間に間隙を形成する延出壁３８を有している。
【０１０３】
従って、延出壁３８（不正部材進入防止壁）を有しているので、装飾枠２０における開口窓部２１の縁からガラス面に沿って不正部材（ピアノ線、セル板など）を進入されても、その進入を阻止することができ、不正行為を確実に防止できる。
すなわち、ガラス板３３，３３を備えるガラス枠ユニット３０と、その前で装飾部材２２を備えるとともに、ガラス板３３，３３の所要範囲を前面側に臨ませる開口窓部２１を有する装飾枠２０とが別体に形成された場合に、装飾部材２２とガラス板３３，３３との間にピアノ線やセル等の不正部材を挿入可能となってしまうが、上述のように延出壁３８で不正部材を止めることができる。
【０１０４】
なお、上記実施形態において、第２の開閉部材となる装飾枠２０に主に装飾部材２２のみを備え、第１の装飾枠となるガラス枠ユニット３０に二枚のガラス板３３，３３を備えるようにしているが、二枚のガラス板３３，３３のうちの前側（外側）の一枚のガラス板３３を装飾枠２０に備えるようにしても良い。すなわち、複数（二枚）のガラス板３３，３３のうちの最も内側（後側）のガラス板３３のみが、外側となる装飾枠２０（第２の開閉枠）の開閉に影響しないようになっていれば、本実施形態と同様の効果を得ることができる。
【０１０５】
また、２枚のガラス板３３，３３のうちの一枚のガラス板３３（透明部材）を液晶表示パネルで構成し、ガラス枠ユニット３０に表示制御基板を備え、ガラス面で画像を表示するようにしてもよい。この場合、バックライトはガラス枠ユニット３０の両側部の裏面側に設け、液晶表示パネルからなる透明部材の裏面側に光を当てるようにする。
すなわち、ガラス基盤等の透明基盤を有する透過型の液晶表示パネルの裏面に通常のバックライトを設けずに、透明な状態とすることで、液晶表示装置を遊技領域４の前面に配置される透明部材として利用しても良い。
また、無機もしくは有機ＥＬ表示パネルを透明部材として用いても良い。この場合も、ＥＬ表示パネルの裏面側の電極を透明電極とするとともに光反射部材を設けない構成として透明なものを用いる。
【０１０６】
本実施形態においては、ガラス枠が遊技機本体から着脱可能なユニット構成となっているので、ガラス枠ユニット３０に上述のように表示装置と表示制御基盤とを設ければ、遊技盤３の交換時に装飾枠２０及びガラス枠ユニット３０を含む前面枠１０全体を交換せずにガラス枠ユニット３０のみを交換することで、ガラス面で交換前とは異なる画像表示が可能となる。
また、本発明はこの実施の形態のパチンコ遊技機に限られるものではなく、その他のパチンコ遊技機、アレンジボール遊技機、雀球遊技機などの弾球遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０７】
【図１】本発明の実施形態のパチンコ遊技機を示す斜視図である。
【図２】前記パチンコ遊技機のガラス枠ユニットを取り外した状態を示す斜視図である。
【図３】前記パチンコ遊技機のガラス枠ユニットの取り付け方を説明するための図面である。
【図４】前記パチンコ遊技機の開放された装飾枠及びガラス枠ユニットを示す斜視図である。
【図５】前記ガラス枠ユニットを示す斜視図である。
【図６】前記ガラス枠ユニットを示す斜視図である。
【図７】前記前記ガラス枠ユニットを閉じた状態に固定する固定装置を示す斜視図である。
【図８】前記固定装置の動作を説明するための図面である。
【図９】前記固定装置の変形例を説明するための図面である。
【図１０】前記ガラス枠ユニットを開放させる機構を説明するための図面である。
【符号の説明】
【０１０８】
１          パチンコ遊技機（遊技機）
３          遊技盤
４          遊技領域
１０        前面枠
１１        枠状収納部
２０        装飾枠（第２の開閉枠  開閉枠）
２１        開口窓部
２２        装飾部材
２５        保持部材
３０        ガラス枠ユニット（第１の開閉枠、開閉枠）
３３        ガラス板（透明部材）
３４        保持枠
３７        切り欠き部
３７ａ      間隙部
３８        延出壁
５０        固定装置
５１        係止部材
５２        連結部材
６０        固定装置
【図１】
2005185743.tif 000003
【図２】
2005185743.tif 000004
【図３】
2005185743.tif 000005
【図４】
2005185743.tif 000006
【図５】
2005185743.tif 000007
【図６】
2005185743.tif 000008
【図７】
2005185743.tif 000009
【図８】
2005185743.tif 000010
【図９】
2005185743.tif 000011
【図１０】
2005185743.tif 000012